(57)【要約】円形の天面(1)及び、円錐状の帯(3)及び天面(1)と円錐状の帯(3)との間の円筒状の帯(2)からなる、周囲の側面を備えた、蓋部に取り外し可能な開口を有する飲料缶のための保護カバー。円錐状の帯(3)はその内側周囲壁に、片面楔(4)を有しており、その前面(5)は天面(1)に平行であり、その作用面(6)は円錐状の帯(3)に収斂する。保護カバーは缶の蓋部及び上部壁を埃から保護するために用いられ得る。
2004520237.tif 000002
【特許請求の範囲】
【請求項１】
円形の天面(1)及び、円錐状の帯(3)及び天面(1)と円錐状の帯(3)との間の円筒状の帯(2)からなる、周囲の側面を備え、かつ該円錐状の帯(3)はその内側周囲壁に、片面楔(4)を有しており、その前面(5)は天面(1)に平行であり、その作用面(6)は円錐状の帯(3)に収斂しかつ空隙(8)により分離された放射状に配置された楔形状のブリッジからなることを特徴とする、蓋部に取り外し可能な開口を有する飲料缶のための保護カバー。
【請求項２】
円筒状表面(2)はその外側周囲壁の片面楔(4)の前面(5)の位置に、リング形状の突起(9)を備えていることを特徴とする請求項1に記載の保護カバー。
【請求項３】
円錐状の帯(3)の底端にハンドル(11)を備えていることを特徴とする、請求項1に記載の保護カバー。
【発明の詳細な説明】
【技術分野】
【０００１】
本発明は蓋部に取り外し可能な開口を有する飲料缶のための保護カバーに関する。
【発明の背景】
【０００２】
一般に、取り外し可能な開口を備えた缶は保護カバーの類を備えておらず、従って飲料中に缶表面から塵や埃が消化管に侵入することを避けることができない。そのような塵や埃は輸送中又は店内における展示中に起因し得る。缶の中身を空の容器に移すことは、開けた後缶表面の一部が飲料に浸るので、解決にならない。
【０００３】
更には一旦開けた後缶を閉じることができず、これは再び埃が缶の中身に侵入することを許しかつ風味に損失及び／又は缶内の残った飲料の腐敗となり得る。
【０００４】
特許明細書WO 01/23267 A1は、保護カバー及び該カバーを飲料缶上に載置するための方法及び装置を備えた、飲料缶を提供する。このカバーは適用装置によって変形されたエンボスのアルミニウム・ホイルからなる。
【０００５】
通常、保護カバーを缶の蓋部に適用するために、ある特別の装置が必要である。更にはそのようなカバーが取り除かれた後、再び缶上に固定することは不可能である。
【０００６】
本発明の目的は、缶の蓋部及び上方壁部を埃から保護するために、円形の天面及び周囲の側面を備えた、蓋部に取り外し可能な開口を有する飲料缶のための保護カバーを提供することにある。更には本発明の目的は、缶に固定及び取り外すことが容易であり、缶に固定するために何らかの特別の装置を必要とせずかつ取り外された後再び缶に固定され得る、保護カバーを提供することにある。
【発明のサマリー】
【０００７】
本発明によれば、周囲の側面は、円錐状の帯及び、天面と円錐状の帯との間の円筒状の帯からなる。円錐状の帯はその内側周囲壁に、片面楔(unilateral wedge)を有し、その前面は天面に平行でありその作用面は円錐状の帯に収斂(convergent)する。
【０００８】
保護カバーは、缶に中身が詰められかつ閉じられた後、缶上に直接に適用され、蓋部及びフランジ下側の缶の側面帯部を埃から保護し、従って飲料のための健全な状態を提供する。その単純な構造は、楔の前面と缶の端との間のスナップ結合（snap connection）を提供する。この結合は、缶を開けた後において、たとえ飲料が二酸化炭素を充填され圧力下にあっても、飲料がこぼれることを防止するに足るほど、強くかつ機密性がある。保護カバーはプラスチックから作られるので、円形状帯の底端から上部に向けた小さな力を用いることでさえ、保護カバーの取り外しを容易にするトルクを生じさせる。更には、この力は保護カバーを変形させず、従ってそれを再び缶上に取付けて残っている中身を腐敗や風味の消失に対して保護することが依然として可能である。更にはこの種の保護蓋は、例えば押し出し又は射出成形により、容易にかつ安価に製造可能である。
【０００９】
好ましくは本発明によれば、片面楔の作用面は、空隙により分離された放射状に配置された楔形状のブリッジからなる。
【００１０】
楔のこの形状は、スナップ結合の十分な信頼性及び機密性を提供する。同時に、保護カバーを缶から取り外すために必要な力は相対的に小さい。
【００１１】
本発明によれば、また、円筒状の面が、その外側周囲壁の片面楔の前面位置の高さに、リング形状の突起を有していることが好ましい。
【００１２】
スナップ結合はこれにより更に信頼し得、缶が偶然に開くことを防ぐ。
【００１３】
更には本発明によれば、円形天面がモールディング(moulding)を備えていることが便宜的である。
【００１４】
モールディングは貯蔵，輸送又はディスプレイ中に缶の積み重ねを可能にする。更にはそれは天面のカバーの硬さを増す。
【００１５】
最後に本発明によれば、円錐状の帯の下端にハンドルを設けることが便宜的である。
【００１６】
ハンドルはカバー取り外しをより容易にし、しかしそれが垂直状態のときには、それは、貯蔵，輸送又はディスプレイ中に缶を並べて（side by side）位置させることを妨害しない。
【００１７】
本発明の特徴及び利点は図面を参照して、以下詳細に説明される。
【００１８】
[図面の簡単な説明]
図1は保護カバーの部分縦断面図である。
図2は片面楔が空隙により分離されている、保護カバーの部分縦断面図である。
図3は図2に示す保護カバーの部分底面図である。
図4はリング形状の突起部を備えた、カバーの部分縦断面図である。
図5は天面にモールディングを有する、カバーの部分縦断面図である。
図6はハンドルを備えた、保護カバーの側面図である。
【発明を実施するための最良の形態】
【００１９】
プラスチック又は何らかの他の適当な弾性材料から作られるカバーは、円形の天面1及び、円形の天面1を支持する円筒状の帯2及び円筒状の帯に隣接する円錐状の帯3に分かれる、周囲の側面を有している。円錐状の帯3の底部は円筒状の帯2より薄い。円錐状の帯3の内側周囲壁に、片面楔4が設けられている。片面楔4の前面5は天面1に平行であり、その作用面6は円錐状の帯3に収斂し、その傾きは不図示の缶の上方部分の傾きに等しい。カバーを缶に固定した後、前面5は、缶の頂きのリング形状の突起にスナップ（snap）し、このようにして硬いスナップ結合が作られる。
【００２０】
カバーを缶から外すことは、相対的に簡単である。力を適用する位置において作用面5を缶の頂きのリング形状の突起の周上から外すために、それは、上方に向けられた小さな力のみを円錐状の帯3の底端に適用することを要求するからである。
【００２１】
片面楔4の作用面6はその周上において連続的であるが、それはまた図2及び図3に示すように、空隙8で分離された、等しくかつ放射状に配置された楔形状のブリッジ7の構成を持っていてもよい。
【００２２】
カバーはまたその外側壁上に、図4に示すように、リング形状の突起9を有していてもよい。突起9は、片面楔4の前面5と缶の頂きのリング形状の突起の底面との間のスナップ結合の安定性を向上する。
【００２３】
更には、図5に示すように、カバーの円形天面1はモールティング10を有し、これは天面1の剛性を増しかつ缶の積み重ねを可能にする。
【００２４】
最後に、図6に示すように、保護カバーは円錐状の面3の底端にハンドル11を備えていてもよい。ハンドル11はカバーを缶から取り外し及び再びそれを固定することに役立つ。その垂直状の配置は輸送又は缶の貯蔵中に障害とならない。
【図面の簡単な説明】
【００２５】
【図１】保護カバーの部分縦断面図である。
【図２】片面楔が空隙により分離されている、保護カバーの部分縦断面図である。
【図３】図2に示す保護カバーの部分底面図である。
【図４】リング形状の突起部を備えた、カバーの部分縦断面図である。
【図５】天面にモールディングを有する、カバーの部分縦断面図である。
【図６】ハンドルを備えた、保護カバーの側面図である。
【国際公開パンフレット】
2004520237.tif 000003
2004520237.tif 000004
2004520237.tif 000005
2004520237.tif 000006
2004520237.tif 000007
2004520237.tif 000008
2004520237.tif 000009
2004520237.tif 000010
【国際公開パンフレット（コレクトバージョン）】
2004520237.tif 000011
【国際公開パンフレット（コレクトバージョン）】
2004520237.tif 000012
【国際調査報告】
2004520237.tif 000013
2004520237.tif 000014
2004520237.tif 000015